(57)【特許請求の範囲】
【請求項１】
管壁に複数の細孔を有するエアー通路と、前記細孔が設けられている前記エアー通路の外周の一部に配設されたパウダータンクとを有し、前記エアー通路にエアーを流し、該エアーにて前記パウダータンク内のパウダーを前記エアー通路内に導入し、該エアー通路の先端より該パウダーエアーと共に噴射して歯面を清掃する歯面清掃器において、前記エアー通路の前記細孔を有する部分の外壁に接し、前記細孔を閉塞することのできるシール部材を有するとともに、前記エアー通路の前記細孔を有する部分を回動可能に支持し、該エアー通路を回動して前記細孔を有する部分を前記パウダータンク内のパウターに対向させて前記パウダーを前記先端より噴射させ、前記エアー通路を更に回動して該エアー通路の外周壁により前記細孔を有する部分を閉鎖し、前記エアー通路内にエアーを通すことにより、該エアー通路中に残留したパウダーを除去するようにしたことを特徴とする歯面清掃器。
【請求項２】
前記細孔は前記エアー通路の周方向約１８０°以内に配設されており、前記シール板は前記細孔の全てを開口しかつ前記エアー通路を回動した時に全ての細孔を閉塞する大きさを有するものであることを特徴とする請求項１に記載の歯面清掃器。
【請求項３】
前記エアー通路の外周壁とパウダーとの間にメッシュ板を有し、該メッシュ板を通して該パウダーを前記エアー通路の細孔に導くようにしたことを特徴とする請求項１に記載の歯面清掃器。
【請求項４】
水通路を別に有し、該水通路を通した水を、前記エアー通路の先端部外周部より、前記パウダーが混入したエアーと共に噴射させるようにしたことを特徴とする請求項１乃至３のいずれかに記載の歯面清掃器。
【発明の詳細な説明】
【０００１】
【発明の属する技術分野】
本発明は、歯面清掃器、より詳細には、パウダーとエアーをミックスさせて噴射させ、パウダーを歯面に当てることにより、プラーク，ヤニ，歯石等を除去するようにした歯面清掃器における、パウダー噴射端での目詰まり防止に関する。
【０００２】
【従来の技術】
エアー中にパウダーを混入させてノズルより噴射し、そのパウダーを歯面に当てることにより、プラーク，ヤニ，歯石等を除去するようにした歯面清掃器は、例えば、特開平１０−１７９６１７号公報に記載されているように既に提案されている。
【０００３】
図３は、従来の歯面清掃器の一例を説明するための要部（ノズル部）斜視図で、図中、１はパウダーが混入されたエアーを噴射するためのノズル、２は該ノズル１との同心の外筒で、該ノズル１と外筒２との間の隙間から水が噴射されるようになっており、パウダー混入エアーと水とを同時に噴射して歯面に当てることにより、歯面を清掃するようにしたものである。
【０００４】
【発明が解決しようとする課題】
しかし、上述のごとき歯面清掃器は、パウダーが空気中の湿気或いはノズル先端部で水が付いてしまうこと等により固まってしまい、そのため、使用しようとする時、パウダーがノズルに詰まってしまっており、エアーが噴射されなくなってしまっていることがある。
【０００５】
本発明は、上述のごとき実情に鑑みてなされたもので、特に、エアー中にパウダーを混入させてノズルより噴射し、該パウダーを歯面に吹き付けて歯面を清掃する歯面清掃器において、前記パウダーが前記ノズル部で湿気又は水の付着によって固まってしまうことにより、前記ノズルに目詰まりを起こした時に、該ノズルの目詰まりを容易に取り除くようにした歯面清掃器に関する。
【０００６】
【課題を解決するための手段】
請求項１の発明は、管壁に複数の細孔を有するエアー通路と、前記細孔が設けられている前記エアー通路の外周の一部に配設されたパウダータンクとを有し、前記エアー通路にエアーを流し、該エアーにて前記パウダータンク内のパウダーを前記エアー通路内に導入し、該エアー通路の先端より該パウダーエアーと共に噴射して歯面を清掃する歯面清掃器において、前記エアー通路の前記細孔を有する部分の外壁に接し、前記細孔を閉塞することのできるシール部材を有するとともに、前記エアー通路の前記細孔を有する部分を回動可能に支持し、該エアー通路を回動して前記細孔を有する部分を前記パウダータンク内のパウターに対向させて前記パウダーを前記先端より噴射させ、前記エアー通路を更に回動して該エアー通路の外周壁により前記細孔を有する部分を閉鎖し、前記エアー通路内にエアーを通すことにより、該エアー通路中に残留したパウダーを除去するようにしたことを特徴としたものである。
【０００７】
請求項２の発明は、請求項１の発明において、前記細孔は前記エアー通路の周方向約１８０°以内に配設されており、前記シール板は前記細孔の全てを開口しかつ前記エアー通路を回動した時に全ての細孔を閉塞する大きさを有するものであることを特徴としたものである。
【０００８】
請求項３の発明は、請求項１の発明において、前記エアー通路の外周壁とパウダーとの間にメッシュ板を有し、該メッシュ板を通して該パウダーを前記エアー通路の細孔に導くようにしたことを特徴としたものである。
【０００９】
請求項４の発明は、請求項１乃至３のいずれかの発明において、水通路を別に有し、該水通路を通した水を、前記エアー通路の先端部外周部より、前記パウダーが混入したエアーと共に噴射させるようにしたことを特徴としたものである。
【００１０】
【発明の実施の形態】
図１は、本発明による歯面清掃器の一実施例を説明するための断面図、図２は、図１のＩＩ−ＩＩ線断面図で、図２（Ａ）は通常使用時の状態を示す断面図、図２（Ｂ）は目詰まり除去時の状態を示す断面図である。図１において、エアー回路１０を通して流れてきたエアーは、エアー通路１１を通してノズル１に伝達され、該ノズル１より噴射される。エアー通路１１の壁面には、細孔１１ａが、例えば、管壁の周面約１８０°の範囲にわたって設けられており、この細孔に対向した位置に、パウダータンク１３が設けられ、該パウダータンク１３内に歯面清掃用のパウダー１４が収容されている。エアー通路１１はつまみ１２により、例えば、１８０°回転可能になっており、該エアー通路１１に設けられた前記細孔１１ａは、前記パウダータンク１３内のパウダー１４に対向する位置（図１及び図２（Ａ）に示す位置）と、該細孔１１ａが設けられている位置が１８０°回転した位置（図２（Ｂ）に示す位置）との間で、回動可能になっている。
【００１１】
従って、つまみ１２を回動して、エアー通路１１を図２（Ａ）の状態の位置にした時は、エアー通路１１にエアーを流すと、パウダータンク１３内のパウダー１４は、エアー通路１１の壁面に設けられた細孔１１ａを通してエアー通路１１内に導入され、ノズル１の先端からエアーと共に噴射され、歯面に当たって該歯面を清掃する。
【００１２】
パウダータンク１４に対向する反対の側には、エアー通路１１の外壁に接触して摺動可能にシール部材１５が、例えば、エアー通路１１の周方向１８０°にわたって設けられており、前記つまみ１２を１８０°回転すると、該エアー通路１１の壁面に設けられている細孔１１ａが該シール部材１５によって塞がれ、同時に、パウダー１４とエアー通路１１内との連通も断たれる。従って、この状態で、エアー通路１１にエアーを通すと、該エアーは、細孔１１ａがシール部材１５によって塞がれており、また、パウダー１４との連通も断たれているので、該エアー通路１１内のエアーは外部に漏れていることなく、また、パウダータンク１３内のパウダー１４を吸引することなく、ノズル部まで進み、該ノズル１を目詰まりさせているパウダーにエアー圧力をかけることができ、従って、ノズル内に残留しているパウダーを取り除くことができる。なお、細孔１１ａはエアー通路１１の径方向約１８０°以内に設けられており、該細孔の全てが開口される状態と、全てがシール部材１１によって閉塞される位置を選択的に取ることができるようになっている。
【００１３】
なお、１６はパウダー１４とエアー通路１１との間に設けられたメッシュ（フィルタ）板で、該メッシュ板１６を通すことにより適量のパウダー１４をエアー通路１１内に導き、前述のごとくして、ノズルよりエアーと共にパウダー１４を噴射するようにしている。また、２１は水用の通路で、該水通路を通して、前述のように、ノズル１のまわりの隙間２から該水を噴射して、つまり、水とエアーとパウダーを同時に噴射して、歯面を清掃するようにしている。
【００１４】
【発明の効果】
以上の説明か明らかなように、本発明によると、パウダーをエアーと共に噴射して歯面を清掃する歯面清掃器において、パウダーを噴射するノズルの目詰まりを簡単な操作により、効果的に取り除くことができる。
【図面の簡単な説明】
【図１】本発明による歯面清掃器の一実施例を説明するための断面図である。
【図２】図１のＩＩ−ＩＩ線断面図である。
【図３】従来の歯面清掃器の一例を説明するための要部（ノズル部）斜視図である。
【符号の説明】
１…エアー及びパウダー噴射ノズル、２…水噴射口、１０…エアー回路、１１…エアー通路、１２…回転つまみ、１３…パウダータンク、１４…パウダー、１５…シール部材、１６…メッシュ板、２１…水通路。
【図１】
0003552923.tif 000002
【図２】
0003552923.tif 000003
【図３】
0003552923.tif 000004